(57)【特許請求の範囲】
【請求項１】
第１の干渉情報と第２の干渉情報に基づいて第１の基地局のセルと第２の基地局のセルの相互干渉ビームを決定するステップであって、前記第１の干渉情報は第１のセル・セットを含み、前記第１のセル・セットは、前記第１の基地局の前記セルのビームに干渉するビームが属する第１の干渉セルを含み、前記第２の干渉情報は第２のセル・セットを含み、前記第２のセル・セットは、前記第２の基地局の前記セルのビームに干渉するビームが属する第２の干渉セルを含む、ステップと、
前記第１の基地局の前記セルと前記第２の基地局の前記セルの前記相互干渉ビームが占有する時間周波数リソース、時間領域リソースまたは周波数領域リソースを調節して干渉を減らすステップと、
を含み、
前記第１の基地局は、
ユーザ機器ＵＥが報告した情報がプリコーディング行列インジケータＰＭＩと参照信号受信電力ＲＳＲＰを含む場合に、同一のＰＭＩを報告したＵＥをグループに分類するステップと、
前記報告されたＲＳＲＰに基づいて、或るグループのＵＥが報告したＲＳＲＰが属する隣接セルをソートするステップと、
前記ソートされた隣接セルに基づいて前記第１の干渉情報を生成するステップであって、前記ソートされた隣接セルは、前記第１の干渉情報に含まれる前記第１のセル・セット内の前記第１の干渉セルである、ステップと、
によって前記第１の干渉情報を生成する、
干渉制御方法。
【請求項２】
前記方法を前記第１の基地局により実施する場合に、
Ｘ２プロトコル・インタフェースまたはＳ１プロトコル・インタフェースを介して、前記第２の基地局が送信した前記第２の干渉情報を受信するステップと、
をさらに含む、請求項１に記載の方法。
【請求項３】
前記方法をコア・ネットワークのネットワーク要素により実施する場合には、前記方法は、Ｓ１プロトコル・インタフェースを介して前記第１の干渉情報と前記第２の干渉情報を取得するステップであって、前記第２の干渉情報は前記第２の基地局により生成されるステップを含み、
前記第１の基地局の前記セルと前記第２の基地局の前記セルの前記相互干渉ビームが占有する時間周波数リソース、時間領域リソースまたは周波数領域リソースを調節して干渉を減らすステップは、
前記第１の基地局と前記第２の基地局の前記相互干渉ビームが占有する前記時間領域リソースを決定するステップと、
前記第１の基地局と前記第２の基地局の前記相互干渉ビームにより占有される前記調節された時間領域リソースを、前記第１の基地局、前記第２の基地局または前記第１の基地局と前記第２の基地局の両方に送信するステップと、
を含む、請求項１に記載の方法。
【請求項４】
前記報告された情報がさらにチャネル品質情報（Ｃｈａｎｎｅｌ  Ｑｕａｌｉｔｙ  Ｉｎｆｏｒｍａｔｉｏｎ、ＣＱＩ）を含む場合に、同一のＰＭＩを報告するＵＥをグループに分類するステップは、
事前設定閾値を下回るＣＱＩと前記同一のＰＭＩを報告したＵＥをグループに分類するステップ
を含む、請求項１に記載の方法。
【請求項５】
前記報告されたＲＳＲＰに基づいて、或るグループのＵＥが報告したＲＳＲＰが属する隣接セルをソートするステップは、
前記グループ内のＵＥが報告した同一の隣接セルのＲＳＲＰを処理し、前記処理されたＲＳＲＰを前記同一の隣接セルのＲＳＲＰとして用いることによって前記隣接セルの全てをＲＳＲＰの降順でソートするステップであって、前記隣接セルは前記第１の基地局の前記セルの前記ビームに対する干渉の強いものから弱いものへとソートされるステップ
を含む、請求項１または４に記載の方法。
【請求項６】
前記グループ内のＵＥが報告した同一の隣接セルのＲＳＲＰを処理した後に、
前記隣接セルが属する基地局とやりとりすることによって得た負荷情報を用いてＲＳＲＰの重み付き平均値を前記処理されたＲＳＲＰの重み因子として計算し、前記ＲＳＲＰの重み付き平均値に従って前記隣接セルの全てをソートするステップ
をさらに含む、請求項５に記載の方法。
【請求項７】
前記第１の干渉情報は前記第１の干渉セルの干渉強度値をさらに含み、前記第２の干渉情報は前記第２の干渉セルの干渉強度値をさらに含みむか、または、
前記第１の干渉情報は前記第１の干渉セルの干渉強度シリアル番号をさらに含み、前記第２の干渉情報は前記第２の干渉セルの干渉強度シリアル番号をさらに含むか、または、
前記第１の干渉情報は前記第１の基地局の前記セルの前記ビームに対する出現順序をさらに含み、前記第２の干渉情報は前記第２の基地局の前記セルの前記ビームに対する出現順序をさらに含むか、または、
前記第１の干渉情報は前記第１の干渉セルの干渉強度値と前記第１の基地局の前記セルの前記ビームに対する出現順序をさらに含み、前記第２の干渉情報は前記第２の干渉セルの干渉強度値と前記第２の基地局の前記セルの前記ビームに対する出現順序をさらに含むか、または、
前記第１の干渉情報は前記第１の干渉セルの干渉強度シリアル番号と前記第１の基地局の前記セルの前記ビームに対する出現順序をさらに含み、前記第２の干渉情報は前記第２の干渉セルの干渉強度シリアル番号と前記第２の基地局の前記セルの前記ビームに対する出現順序をさらに含む、
請求項１乃至３の何れか１項に記載の方法。
【請求項８】
前記第１の基地局の前記セルの前記ビームは、前記ＰＭＩに基づくビーム形成を実施することにより形成され、前記第２の基地局の前記セルの前記ビームは、前記ＰＭＩに基づくビーム形成を実施することにより形成される、請求項１乃至３の何れか１項に記載の方法。
【請求項９】
第１の干渉情報と第２の干渉情報に基づいて、第１の基地局のセルと第２の基地局のセルの相互干渉ビームを決定するように構成された決定ユニットであって、前記第１の干渉情報は第１のセル・セットを含み、前記第１のセル・セットは、前記第１の基地局の前記セルのビームに干渉するビームが属する第１の干渉セルを含み、前記第２の干渉情報は第２のセル・セットを含み、前記第２のセル・セットは、前記第２の基地局の前記セルのビームに干渉するビームが属する第２の干渉セルを含む、決定ユニットと、
前記決定ユニットにより決定された、前記第１の基地局の前記セルおよび前記第２の基地局の前記セルの前記相互干渉ビームが占有する時間周波数リソース、時間領域リソースまたは周波数領域リソースを調節して、干渉を減らすように構成された干渉制御ユニットと、
前記第１の干渉情報を生成するように構成された生成ユニットと、
を備え、
前記生成ユニットは、
ユーザ機器ＵＥが報告した情報がプリコーディング行列インジケータＰＭＩと参照信号受信電力ＲＳＲＰを含む場合に、同一のＰＭＩを報告したＵＥをグループに分類するように構成されたグループ化モジュールと、
前記グループ化モジュールがグループ化を行った後に、前記報告されたＲＳＲＰに基づいて、或るグループ内のＵＥが報告したＲＳＲＰが属する隣接セルをソートするように構成されたソート・モジュールと、
前記ソートされた隣接セルに基づいて前記第１の干渉情報を生成するように構成された生成モジュールであって、前記ソートされた隣接セルは、前記第１の干渉情報に含まれる前記第１のセル・セット内の前記第１の干渉セルである、生成モジュールと、
を備える、干渉制御のための装置。
【請求項１０】
前記装置が基地局である場合、前記装置はさらに受信ユニットを備え、
前記受信ユニットは、Ｘ２プロトコル・インタフェースまたはＳ１プロトコル・インタフェースを介して、前記第２の基地局が送信した前記第２の干渉情報を受信するように構成された、
請求項９に記載の装置。
【請求項１１】
前記装置がコア・ネットワークのネットワーク要素である場合、前記装置はさらに取得ユニットと送信ユニットを備え、
前記取得ユニットは、Ｓ１プロトコル・インタフェースを介して前記決定ユニットが使用する前記第１の干渉情報と前記第２の干渉情報を取得するように構成され、前記第２の干渉情報は前記第２の基地局により生成され、
前記干渉制御ユニットはさらに、前記第１の基地局の前記セルと前記第２の基地局の前記セルの前記相互干渉ビームが占有する時間領域リソースを調節するように構成され、前記相互干渉ビームは前記決定ユニットにより決定され、
前記送信ユニットは、前記第１の基地局の前記セルと前記第２の基地局の前記セルの前記相互干渉ビームにより占有される前記調節された時間領域リソースを、前記第１の基地局、前記第２の基地局または前記第１の基地局と前記第２の基地局の両方に送信するように構成された、
請求項９に記載の装置。
【請求項１２】
前記グループ化モジュールはさらに、前記報告された情報がさらにチャネル品質情報（Ｃｈａｎｎｅｌ  Ｑｕａｌｉｔｙ  Ｉｎｆｏｒｍａｔｉｏｎ、ＣＱＩ）を含む場合に、事前設定閾値を下回るＣＱＩと前記同一のＰＭＩを報告したＵＥをグループに分類するように構成される、請求項９に記載の装置。
【請求項１３】
前記ソート・モジュールは、前記グループ内のＵＥが報告した同一の隣接セルのＲＳＲＰを処理し、前記処理されたＲＳＲＰを前記同一の隣接セルの前記ＲＳＲＰとして用いることによって前記隣接セルの全てをＲＳＲＰの降順にソートするように構成され、前記隣接セルは前記第１の基地局の前記セルの前記ビームに対する干渉の強いものから弱いものへとソートされる、請求項９または１２に記載の装置。
【請求項１４】
前記ソート・モジュールはさらに、前記同一のグループ内のＵＥが報告した前記同一の隣接セルの前記ＲＳＲＰを処理した後に、前記隣接セルが属する基地局とやりとりすることによって得た負荷情報を前記処理されたＲＳＲＰの重み因子として用いることによってＲＳＲＰの重み付き平均値を計算し、全ての前記隣接セルを前記ＲＳＲＰの重み付き平均値に従ってソートするように構成された、請求項１３に記載の装置。
【請求項１５】
前記決定ユニットが使用する前記第１の干渉情報はさらに前記第１の干渉セルの干渉強度値を含み、前記第２の干渉情報はさらに前記第２の干渉セルの干渉強度値を含むか、または、
前記決定ユニットが使用する前記第１の干渉情報はさらに前記第１の干渉セルの干渉強度シリアル番号を含み、前記第２の干渉情報はさらに前記第２の干渉セルの干渉強度シリアル番号を含むか、または、
前記決定ユニットが使用する前記第１の干渉情報はさらに前記第１の基地局の前記セルの前記ビームに対する出現順序を含み、前記第２の干渉情報はさらに前記第２の基地局の前記セルの前記ビームに対する出現順序を含むか、または、
前記決定ユニットが使用する前記第１の干渉情報はさらに前記第１の干渉セルの干渉強度値と前記第１の基地局の前記セルの前記ビームに対する出現順序を含み、前記第２の干渉情報はさらに前記第２の干渉セルの干渉強度値と前記第２の基地局の前記セルの前記ビームに対する出現順序を含むか、または、
前記決定ユニットが使用する前記第１の干渉情報はさらに前記第１の干渉セルの干渉強度シリアル番号と前記第１の基地局の前記セルの前記ビームに対する出現順序を含み、前記第２の干渉情報はさらに前記第２の干渉セルの干渉強度シリアル番号と前記第２の基地局の前記セルの前記ビームに対する出現順序を含む、
請求項９乃至１１の何れか１項に記載の装置。
【請求項１６】
前記第１の基地局の前記セルの前記ビームは、前記ＰＭＩに基づくビーム形成を実施することにより形成され、前記第２の基地局の前記セルの前記ビームは、前記ＰＭＩに基づくビーム形成を実施することにより形成される、請求項９乃至１１の何れか１項に記載の装置。
【発明の詳細な説明】
【技術分野】
【０００１】
本願は、発明の名称を「干渉制御のための方法および装置」とした、２０１２年４月６日に中国国家知的産権局に出願された中国特許出願第２０１２１００９８７８５．１号に対する優先権を主張し、その全体を引用により本明細書に取り込む。
【０００２】
本発明は、無線通信の分野に関し、特に、無線通信における干渉制御のための方法および装置に関する。
【背景技術】
【０００３】
スマート・アンテナ技術では、無線リソースの空間的特性を十分に利用して、無線モバイル通信システムの無線リソース利用を改善してシステム能力を根本的に改善することができる。スマート・アンテナ技術の中心的な技術として、ビーム形成が主に、セル間の干渉を排除しセル・エッジのユーザ性能を改善するために適合される。
【０００４】
ビーム形成に基づく隣接セル干渉制御のための複数の機構がロング・ターム・エボリューション・アドバンスト調整型マルチポイント（Ｌｏｎｇ  Ｔｅｒｍ  Ｅｖｏｌｕｔｉｏｎ−Ａｄｖａｎｃｅｄ  Ｃｏｏｒｄｉｎａｔｅｄ  Ｍｕｌｔｉ−Ｐｏｉｎｔ、ＬＴＥ−Ａ  ＣｏＭＰ）で提供される。ベスト／ワーストのプリコーディング行列機構では、ユーザ機器（Ｕｓｅｒ  Ｅｑｕｉｐｍｅｎｔ、ＵＥ）が、セルとその隣接セルのベスト／ワーストのプリコーディング行列インジケータ（Ｐｒｅｃｏｄｉｎｇ  Ｍａｔｒｉｘ  Ｉｎｄｉｃａｔｏｒｓ、ＰＭＩ）を報告する必要がある。
【発明の概要】
【発明が解決しようとする課題】
【０００５】
しかし、ベスト／ワーストのプリコーディング行列機構でＵＥが隣接セルのＰＭＩを報告する必要があるとき、当該ＵＥは最初に当該隣接セルでセル探索を実施し、同期の後に当該隣接セルのＰＭＩを取得し、当該ＰＭＩを当該セルのサービス基地局に報告する。しかし、ＵＥによる当該隣接セルのＰＭＩの頻繁な報告により、アップリンクのオーバヘッドが大幅に増大する。
【課題を解決するための手段】
【０００６】
干渉制御のための方法および装置を本発明の諸実施形態に従って提供する。当該方法および装置はアップリンクのオーバヘッドが増大せずに干渉制御を実施することができる。
【０００７】
１態様では、干渉制御のための方法を提供する。当該方法は、第１の干渉情報と第２の干渉情報に基づいて第１の基地局のセルと第２の基地局のセルの相互干渉ビームを決定するステップであって、当該第１の干渉情報は第１のセル・セットを含み、当該第１のセル・セットは第１の干渉セルを含み、当該第１の基地局のセルのビームに干渉するビームは当該第１の干渉セルに属し、当該第２の干渉情報は第２のセル・セットを含み、当該第２のセル・セットは第２の干渉セルを含み、当該第２の基地局のセルのビームに干渉するビームは当該第２の干渉に属するステップと、当該第１の基地局のセルと当該第２の基地局のセルの相互干渉ビームを送信することで占有される時間周波数リソース、時間領域リソースまたは周波数領域リソースを調節して干渉を減らすステップと、を含む。
【０００８】
別の態様では、干渉制御のための装置を提供する。当該装置は、決定ユニットと干渉制御ユニットを備える。当該決定ユニットは、第１の干渉情報と第２の干渉情報に基づいて、第１の基地局のセルと第２の基地局のセルの相互干渉ビームを決定するように構成される。当該第１の干渉情報は第１のセル・セットを含み、当該第１のセル・セットは第１の干渉セルを含み、当該第１の基地局のセルのビームに干渉するビームは当該第１の干渉セルに属し、当該第２の干渉情報は第２のセル・セットを含み、当該第２のセル・セットは第２の干渉セルを含み、当該第２の基地局のセルのビームに干渉するビームは当該第２の干渉セルに属する。当該干渉制御ユニットは、当該決定ユニットにより決定された、当該第１の基地局のセルと当該第２の基地局のセルの相互干渉ビームにより占有された時間周波数リソース、時間領域リソースまたは周波数領域リソースを調節して、干渉を減らすように構成される。
【０００９】
上述の技術的解決策では干渉制御のための方法を提供する。調節を実施することにより、基地局のセルのビームが様々な時間周波数リソース、様々な時間領域リソース、または様々な周波数領域リソースで送信され、それにより、アップリンクのオーバヘッドが増大せずに、当該基地局のセルのビームの間の相互干渉が減る。
【００１０】
本発明の諸実施形態の技術的解決策をより明確に説明するために、当該諸実施形態または先行技術の説明に必要な添付図面を以下で簡単に説明する。明らかに、以下で説明する添付図面は本発明の一部の諸実施形態にすぎず、当業者はこれらの添付図面に従って創造的作業なしに他の図面を取得することができる。
【図面の簡単な説明】
【００１１】
【図１】本発明の１実施形態に従う適用シーンを示す略図である。
【図２】本発明の１実施形態に従う干渉制御のための方法を示す略流れ図である。
【図３】本発明の別の実施形態に従う干渉制御のための方法を示す略流れ図である。
【図４】本発明の別の実施形態に従う干渉制御のための方法を示す略流れ図である。
【図５】本発明の１実施形態に従う干渉制御のための装置を示す略ブロック図である。
【図６Ａ】本発明の１実施形態に従う干渉制御のための別の装置を示す略ブロック図である。
【図６Ｂ】本発明の１実施形態に従う干渉制御のための別の装置を示す略ブロック図である。
【図７】本発明の１実施形態に従う干渉制御のための別の装置を示す略ブロック図である。
【発明を実施するための形態】
【００１２】
本発明の諸実施形態における技術的解決策を、以降で本発明の諸実施形態における添付図面と組み合わせて明確かつ十分に説明する。明らかに、説明した実施形態は本開示の一部の実施形態であって全ての実施形態ではない。本発明の諸実施形態に基づいて、当業者が創造的作業なしに取得する他の実施形態の全ては本発明の保護範囲に入る。
【００１３】
本発明の技術的解決策を、ロング・ターム・エボリューション（Ｌｏｎｇ  Ｔｅｒｍ  Ｅｖｏｌｕｔｉｏｎ、ＬＴＥ）またはロング・ターム・エボリューション・アドバンスト（Ｌｏｎｇ  Ｔｅｒｍ  Ｅｖｏｌｕｔｉｏｎ−Ａｄｖａｎｃｅｄ、ＬＴＥ−Ａ）のような、複数の種類の通信システムに適用することができる。
【００１４】
ＵＥは、モバイル端末、モバイル・ユーザ端末等と呼ばれることもあり、無線アクセス・ネットワーク、例えば、ＲＡＮ（Ｒａｄｉｏ  Ａｃｃｅｓｓ  Ｎｅｔｗまたはｋ）を介して１つまたは複数のコア・ネットワークと通信することができる。ＵＥは、モバイル電話（または、「携帯」電話とも呼ばれる）のようなモバイル端末であってもよく、ポータブル・モバイル装置、ポケット・サイズ・モバイル装置、ハンドヘルド・モバイル装置のようなモバイル端末を具備したコンピュータ、モバイル装置を組み込んだコンピュータまたはオンボード型モバイル装置であってもよく、メッセージおよび／またはデータを無線アクセス・ネットワークと交換する。
【００１５】
基地局はＬＴＥまたはＬＴＥ−Ａにおけるエボリューショナル・ノードＢ（ｅＮＢまたはｅ−ＮｏｄｅＢ）であってもよく、マクロ・ノードＢ、マイクロ・ノードＢ等を含む。
【００１６】
さらに、「システム」および「ネットワーク」という用語を本明細書ではしばしば交互に用いてもよい。ここで、「および／または」という用語は、関連する物を説明するための関係にすぎず、３つの種類の関係がありうることを示す。例えば、Ａおよび／またはＢは、Ａのみが存在すること、ＡとＢの両方が存在すること、またはＢのみが存在することの３つの場合を示すことができる。さらに、本明細書における「／」という文字は一般に、関連する物が「または」の関係を有することを示す。
【００１７】
ＬＴＥ−ＡＣｏＭＰは、調整されたビーム形成および調整型ビーム・スイッチング（Ｃｏｏｒｄｉｎａｔｅｄ  Ｂｅａｍ  Ｓｗｉｔｃｈｉｎｇ、ＣＢＳ）のようなビーム形成に基づく他の隣接セル干渉制御機構も含む。調整されたビーム形成機構では、ＵＥがセルとその隣接セルの両方の空間共役行列を報告する必要がある。当該ＣＢＳ機構では、基地局がＵＥにＣＢＳ機構の開始を知らせる必要があり、ＵＥが、ビーム・スイッチング期間における最良のチャネル品質インジケータ（Ｃｈａｎｎｅｌ  Ｑｕａｌｉｔｙ  Ｉｎｄｉｃａｔｏｒ、ＣＱＩ）、および、サブフレーム・インジケータまたはリソース・ブロック・グループ（Ｒｅｓｏｕｒｃｅ  Ｂｌｏｃｋ  Ｇｒｏｕｐ、ＲＢＧ）インジケータのような時間領域における最良のＣＱＩの位置または周波数領域における最良のＣＱＩの位置を報告する必要がある。
【００１８】
しかし、上述の方法にはそれぞれ欠点がある。調整されたビーム形成機構でＵＥが隣接セルの空間共役行列を報告する必要があるとき、当該ＵＥはまずセル探索を当該隣接セルで実施し、同期の後にのみ当該隣接セルの空間共役行列を取得し、サービス・セルが属する基地局に当該空間共役行列を報告する。しかし、ＵＥが当該隣接セルの空間共役行列を頻繁に報告するとアップリンクのオーバヘッドが大幅に増大する。ＣＢＳ機構では、基地局がエア・インタフェースを介してＵＥにＣＢＳ機構の開始を知らせる必要があり、ＵＥがビーム・スイッチング期間内の最良のＣＱＩと時間周波数領域内の最良のＣＱＩの位置を報告する必要があり、これもアップリンクのオーバヘッドを大幅に増大させる。
【００１９】
本発明の１実施形態では、アップリンクのオーバヘッドが増大せずに基地局のセルのビームの間の干渉制御を実現する方法と装置を提供する。
【００２０】
図１は、本発明の１実施形態に従う適用シーンを示す略図である。簡単のため、図１は、様々な基地局により制御される３つのセル１１、１２および１３を概略的に示す。各セルは、１、３、０および２を付した４つのビームを含む。ビーム形成は、様々なＰＭＩに基づく基地局のセルの複数のビームで実施され、各ビームは特定のＰＭＩに対応する。図１に示すように、便宜上、基地局の各セルでは、ビームは反時計回りに配置され、それぞれ、ＰＭＩ＝１、ＰＭＩ＝３、ＰＭＩ＝０およびＰＭＩ＝２の場合のビーム形成で形成されたビームを表し、この状況では略してＰＭＩ＝１、ＰＭＩ＝３、ＰＭＩ＝０およびＰＭＩ＝２に対応するビームとも称する。当該セルのビームの出現順序を、反時計回りの順序１３０２と称してもよい。当該ビームの方向が図１に示され、当該ビームが互いに干渉しうる。或るＵＥが、サービス基地局のセルのビームで伝搬される信号だけでなく、隣接セルのビームで伝搬される信号も同時に受信し、当該隣接セルはサービス基地局に隣接する他の基地局により制御される。当該隣接セルのビームで伝搬される信号が、ＵＥにより正常に受信されたサービス基地局のセルのビームで伝搬される信号と干渉することがある。当該干渉は相互的であるので、このケースを、当該サービス基地局のセルのビームと他の基地局により制御される当該隣接セルのビームの間の相互干渉とも称し、基地局のセルのビームの間の相互干渉とも称し、相互に干渉するビームを相互干渉ビームと称する。さらに、セルのビームの数、当該ビームに対応するＰＭＩ、およびＰＭＩに対応するビームの出現順序は説明のためのものにすぎず、本発明の当該実施形態によっては限定されない。
【００２１】
本発明の１実施形態では、干渉制御のための方法を提供することができる。調節を行うことによって、基地局のセルのビームが様々な時間周波数リソース、様々な時間領域リソースまたは様々な周波数領域リソースで送信され、それによりアップリンクのオーバヘッドが増大せずに、当該基地局のセルのビームの間の相互干渉が減る。
【００２２】
図２は、本発明の１実施形態に従う干渉制御のための方法２０を示す略流れ図である。方法２０を、基地局、またはコア・ネットワークのネットワーク要素のような、無線通信システムにおける様々なネットワーク側の装置により実施してもよい。
【００２３】
ステップ２１で、第１の基地局のセルと第２の基地局のセルの相互干渉ビームを第１の干渉情報と第２の干渉情報に基づいて決定する。当該第１の干渉情報は第１のセル・セットを含み、当該第１のセル・セットは当該第１の基地局のセルのビームに干渉するビームが属する第１の干渉セルを含み、当該第２の干渉情報は第２のセル・セットを含み、当該第２のセル・セットは当該第２の基地局のセルのビームに干渉するビームが属する第２の干渉セルを含む。
【００２４】
ステップ２２では、相互干渉ビームが占有する、時間周波数リソース、時間領域リソースまたは周波数領域リソースを調節して干渉を減らす。
【００２５】
調節を行うことによって、様々な基地局のセルの相互干渉ビームを様々な時間領域リソースで送信し、様々な周波数領域リソースで送信して、時間領域と周波数領域の両方が異なるリソースで送信して、干渉を減らすことができる。この状況では、時間領域リソースと周波数領域リソースを、短縮して時間周波数リソースと称する。
【００２６】
本発明の１実施形態では干渉制御のための方法を提供することができる。調節を行うことによって、基地局のセルのビームが様々な時間周波数リソース、様々な時間領域リソース、または様々な周波数領域リソースで送信され、それによりアップリンクのオーバヘッドが増大せずに、当該基地局のセルのビームの間の相互干渉が減る。
【００２７】
図３は、本発明の別の実施形態に従う干渉制御のための方法３０を示す略流れ図である。当該方法では、無線通信システムの基地局により方法２０を実施するプロセスを説明する。ステップ３１では、第１の基地局が、セルのＵＥが報告した情報を受信する。
【００２８】
現在のサービス基地局が当該第１の基地局であると仮定する。当該ＵＥが当該サービス基地局に報告したセルの情報を、ＵＥが送信するチャネル品質またはチャネル状態を反映するように適合してもよい。当該情報が、例えばＰＭＩ、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）およびＣＱＩを含んでもよい。ここで、当該ＵＥが報告した情報が、既存の技術で干渉制御が実施される前に報告される情報と同じであってもよい。
【００２９】
ステップ３２では、当該第１の基地局が同一のＰＭＩを報告したＵＥをグループに分類する。場合によっては、事前設定閾値を下回るＣＱＩと当該同一のＰＭＩを報告したＵＥが１つのグループに分類される。当該事前設定閾値が、本発明の当該実施形態に従って設定された値であってもよい。
【００３０】
ステップ３３では、当該第１の基地局が、当該同一のグループ内のＵＥが報告したＲＳＲＰを受信し、当該同一のグループ内のＵＥが報告したＲＳＲＰが属する隣接セルを、受信したＲＳＲＰに従ってソートする。この場合、同一のグループとは、同一のＰＭＩを報告したＵＥのグループを指す。
【００３１】
ＵＥが報告したＲＳＲＰを受信するステップは、当該ＵＥが報告したＲＳＲＰを処理するステップを含んでもよい。当該処理したＲＳＲＰを、セルのビームが伝搬する信号に対する、隣接セルのビームが伝搬する信号の干渉強度を示す情報とみなしてもよい。ＲＳＲＰを処理する方法が複数存在しうる。その方法には、報告されたＲＳＲＰを合計すること、報告されたＲＳＲＰの平均値を計算すること、報告されたＲＳＲＰの最小分散を計算すること等が含まれ、本発明の実施形態によっては限定されない。例示のため、以下の説明は、隣接セルごとの報告されたＲＳＲＰの平均値を計算して当該隣接セルの全ての平均値を降順にソートするステップを基礎とするが、本発明は処理とソートに関する他の方法にも適用可能である。
【００３２】
実装においては、当該同一のグループ内のＵＥが報告した、同一の隣接セルのＲＳＲＰの平均値を計算し、ＲＳＲＰの平均値を当該隣接セルのＲＳＲＰとみなす。当該隣接セルの全てをその平均値に従って降順にソートする。当該隣接セルは、当該隣接セルのビームによる当該第１の基地局のビームへの干渉の強いものから弱いものへとソートされる。ＲＳＲＰ値が高い当該隣接セルのビームが伝搬する信号は、当該セルのビームが伝搬する信号への強い干渉を生み出す。
【００３３】
本発明の１実施形態では、例えば、第１の基地局が、セル内のＵＥが報告した情報を受信する。ＰＭＩ＝０を報告したＵＥは、ＵＥ１、ＵＥ２およびＵＥ３を含むグループに分類される。当該グループでは、当該グループ内のＵＥが報告したＲＳＲＰと隣接セルの関係を以下の表１に示す。
【００３４】
【表１】
0005995028.tif 000002
【００３５】
上述のように、ＰＭＩ＝０を報告したＵＥが１つのグループに分類され、当該グループ内のＵＥが報告したＲＳＲＰに対応する隣接セルの識別子が決定される。当該隣接セル識別子は、隣接セル１、隣接セル２および隣接セル３である。当該隣接セルのビームによる、ＰＭＩ＝０のセルのビームへの平均的な干渉は、同一の隣接セル識別子を有するＲＳＲＰを平均することにより得られる。３つの平均されたＲＳＲＰは、ＵＥが報告した隣接セル１、隣接セル２および隣接セル３に対応するＲＳＲＰをそれぞれ平均することにより得られる。当該隣接セルの順序は、平均されたＲＳＲＰを降順にソートすることにより得られる。例えば、このソート順は隣接セル３、隣接セル１および隣接セル２である。この場合、隣接セル３のビームが伝搬する信号により、隣接セル１のビームが伝搬する信号より大きな干渉がＰＭＩ＝０のセルのビームが伝搬する信号に生じる。さらに、隣接セル１のビームが伝搬する信号により、隣接セル２のビームが伝搬する信号より大きな干渉がＰＭＩ＝０のセルのビームが伝搬する信号に生じる。
【００３６】
別の実装形態では、事前設定閾値を下回るＣＱＩおよび同一のＰＭＩを報告したＵＥがグループ化の最中に１つのグループに分類された場合には、或るグループ内の事前設定閾値より小さいＣＱＩを報告したＵＥが報告したＲＳＲＰの平均のみを計算する。当該ＵＥが報告した情報がＣＱＩを含む場合には、セルの端のＵＥに対するＣＱＩが当該隣接セルによる干渉をより正しく反映できると考えられ、或るグループ内の事前設定閾値より小さいＣＱＩを報告したＵＥが報告したＲＳＲＰのみを処理に選択する。したがって、上記第１の基地局が、当該プロセスに参加するＵＥを積極的に減らして効率を高めることができる。さらに、ＵＥが報告したＲＳＲＰに対応する隣接セルの識別子をそれに応じて減らし、セルが属する基地局に対して干渉制御をさらに実施するときの干渉制御の精度を高めることができる。
【００３７】
さらに、別の実装形態では、ＲＳＲＰの重み付き平均値を、隣接セルが属する第２の基地局とやりとりすることによって得られる負荷情報を用いて、平均されたＲＳＲＰの重み付き因子として計算する。当該隣接セルの全てをＲＳＲＰの重み付き平均値に従って降順にソートする。ここで、当該第２の基地局が１つまたは複数であってもよい。例えば、当該隣接セルによる干渉を考慮すると、Ｘ２プロトコル・インタフェースを介してやりとりされる負荷情報を用いることによってＲＳＲＰの重み付き平均値を重み因子として計算してもよい。ここで、Ｘ２プロトコル・インタフェースとは、基地局の間の通信のためのプロトコル・インタフェースである。例えば、当該負荷情報が、基地局の間のＸ２インタフェース・アプリケーションを標準化するためのＴＳ３６．４２３における無線リソース状態であってもよい。例えば、当該負荷を、特定のセルに対する干渉を計算する場合に、平均されたＲＳＲＰの重み因子として使用してもよい。
【００３８】
表１の実施形態に基づいて、第１の基地局は、Ｘ２インタフェースを介して隣接セル１の負荷情報を、隣接セル１が属する第２の基地局から取得する。当該負荷情報をＬ１で表す。当該第１の基地局は、Ｘ２インタフェースを介して隣接セル２の負荷情報を、隣接セル２が属する第２の基地局から取得する。当該負荷情報をＬ２で表す。当該第１の基地局は、Ｘ２インタフェースを介して隣接セル３の負荷情報を、隣接セル３が属する第２の基地局から取得する。当該負荷情報をＬ３で表す。当該負荷情報を重み因子として使用する場合には、ＰＭＩ＝０に対応するビームに対して、隣接セル１、隣接セル２および隣接セル３のＲＳＲＰの重み付き平均値をそれぞれ式１乃至３に示すようにＩ１、Ｉ２およびＩ３で表す。
Ｉ１＝Ｌ１×（４６＋３９＋４５）／３                                （式１）
Ｉ２＝Ｌ２×（３２＋４３）／２                                      （式２）
Ｉ３＝Ｌ３×（５７＋５０）／２                                      （式３）
【００３９】
ステップ３４では、当該第１の基地局が上述のステップで得られたソートされた隣接セルに基づいて当該第１の基地局の第１の干渉情報を生成する。
【００４０】
ソートされた隣接セルは第１の干渉セルである。当該第１の基地局は、上述のステップで得られたソートされた隣接セルに基づいて当該第１の基地局の第１の干渉情報を生成する。当該第１の干渉情報は第１のセル・セットを含む。当該第１のセル・セットは、当該第１の基地局のセルのビームに干渉するビームが属する第１の干渉セルを含む。場合によっては、ソートされた隣接セル上の幾つかのセルを選択して当該第１のセル・セットを形成してもよい。当該第１のセル・セットが、干渉強度が閾値より大きいセルを含んでもよい。当該干渉強度は処理されたＲＳＲである。場合によっては、当該第１のセル・セットが、上述の全てのソートされた隣接セルを含んでもよい。
【００４１】
ステップ３５では、当該第１の基地局が第２の基地局から送信された第２の干渉情報を受信する。当該第２の干渉情報は第２のセル・セットを含む。当該第２のセル・セットは、当該第２の基地局のセルのビームに干渉するビームが属する第２の干渉セルを含む。
【００４２】
当該第１の基地局および当該第２の基地局における「第１の」や「第２の」とは２つの基地局を区別するためのものにすぎない。ステップ３５では、当該第２の干渉情報を当該第１の基地局に送信する前に、当該第２の基地局が、当該第１の基地局により実施されるステップ３１乃至３４に類似するステップを実施し、当該第２の干渉情報を生成する。当該プロセスは簡単のためここでは説明しない。
【００４３】
当該第１の基地局は、複数の第２の基地局が送信した複数の第２の干渉情報を受信するための中央制御ノードとして機能してもよい。当該第１の基地局は、基地局のビーム間の干渉関係に従って、当該第１の基地局および当該複数の第２の基地局の相互干渉ビームにより占有される時間領域リソースを調節して干渉を減らす。
【００４４】
さらに、当該第１の基地局と当該第２の基地局を中央制御ノードにより制御する必要がなくこれらが同じレベルのノードとして使用される場合には、当該第１の基地局と当該第２の基地局がそれぞれ方法２０を同時に実施するときに方法３０が以下の内容を含んでもよい。ステップ３６では、当該第１の基地局が当該第１の干渉情報を当該第２の基地局に送信する。
【００４５】
ステップ３５とステップ３６の実施順序を定義しなくともよい。ステップ３５とステップ３６を同時に実施してもよい。ステップ３５とステップ３６により、当該第１の干渉情報と当該第２の干渉情報を当該第１の基地局と当該第２の基地局の間でやりとりしてもよい。当該第１の基地局が、当該第２の基地局が送信した当該第２の干渉情報を受信し、Ｘ２プロトコル・インタフェースまたはＳ１プロトコル・インタフェースを介して、当該第１の干渉情報を当該第２の基地局に送信してもよい。Ｓ１プロトコル・インタフェースとは、コア・ネットワークと基地局の間のプロトコル・インタフェースである。
【００４６】
基地局の間で干渉制御を実施するための方法を、当該第１の基地局と当該第２の基地局の間で当該第１の干渉情報および当該第２の干渉情報をやりとりすることによってさらに説明する。表２は本発明の１実施形態に従う例を示す。
【００４７】
【表２】
0005995028.tif 000003
【００４８】
当該第１の基地局はセルＡを含む。セルＡは、第１の列の第２の行から第５の行で示すように、異なるＰＭＩでビーム形成を実施することで形成された４つのビームを含む。表２の第２の列の第２の行から第５の行は、当該第１の基地局のセルＡの４つのビームにそれぞれ干渉するビームが属する隣接セルを表す。表２の第２の行と第２の列の情報は、当該第１の基地局が生成した第１の干渉情報の一部であり、当該第１の基地局のセルＡのビームに対する干渉を示し、ＰＭＩ＝０でビーム形成を実施することにより形成され、隣接セルＢと隣接セルＣのビームにより生ずる。当該第２の基地局はセルＢを含む。表２の第２の行と第３の列の情報は、当該第２の基地局が生成した第２の干渉情報の一部であり、当該第２の基地局のセルＢのビームに対する干渉を示し、ＰＭＩ＝０でビーム形成を実施することにより形成され、隣接セルＣと隣接セルＥのビームにより生ずる。当該第１のセル・セットはセルＢ、セルＣ、セルＤおよびセルＦを含む。当該第２のセル・セットは、セルＡ、セルＣ、セルＥおよびセルＦを含む。これらのセルの一部を同一の基地局により制御してもよく、セルが属する基地局をＵＥが報告した情報に従って決定してもよい。
【００４９】
ステップ３７で、当該第１の基地局が、当該第１の基地局のセルと当該第２の基地局のセルの相互干渉ビームを当該第１の干渉情報と当該第２の干渉情報に基づいて決定する。
【００５０】
表２によれば、ＰＭＩ＝０およびＰＭＩ＝２に対応する２つのビーム・グループに対して、セルＢはセルＡ内の干渉セル・セット内の干渉セルとして現れる。セルＡは、ＰＭＩ＝１およびＰＭＩ＝３に対応する２つのビーム・グループに対して、セルＢの干渉セル・セット内の干渉セルとして現れる。即ち、セルＡ内のＰＭＩ＝０およびＰＭＩ＝２を報告したＵＥに対して、セルＢのビームにより、セルＡのビームが伝搬し当該ＵＥが受信する信号に対して大きな干渉が生ずる。セルＢ内のＰＭＩ＝１およびＰＭＩ＝３を報告したＵＥに対して、セルＡのビームにより、セルＢのビームが伝搬し当該ＵＥが受信する信号に対して大きな干渉が生ずる。干渉は相互的であるので、ＰＭＩ＝０およびＰＭＩ＝２で形成されたセルＡのビームによりＰＭＩ＝１およびＰＭＩ＝３で形成されたセルＢのビームに対して強い干渉が生ずると最初に決定してもよい。
【００５１】
ステップ３８では、当該第１の基地局および当該第２の基地局が、相互干渉ビームにより占有された時間周波数リソース、時間領域リソースまたは周波数領域リソースを調節して、干渉を減らす。
【００５２】
当該第１の基地局は、中央制御ノードとして、Ｘ２プロトコル・インタフェースまたはＳ１プロトコル・インタフェースを介してネットワーク内の各基地局を調節し、相互干渉ビームを様々な時間領域リソースで送信して相互干渉を減らすように各基地局に要求してもよく、それにより、ネットワーク全体の性能が高まる。
【００５３】
さらに、中央制御ノードがない場合には、第１の基地局と第２の基地局は同一のレベルのノードとして相互に調節する。この場合、相互干渉ビームを様々な時間周波数リソース、様々な時間領域リソース、または様々な周波数領域リソースで送信することによって干渉制御を実施してもよい。以下では、様々な時間周波数リソースで送信される相互干渉ビームを例とする。例えば、当該第１の基地局により制御されるセルＡのＲＢＧ０−３およびＲＢＧ４−７は、ＰＭＩ＝０およびＰＭＩ＝２で形成されたビームで固定的に伝搬され、当該第２の基地局により制御されるセルＢのＲＧＢ８−１１およびＲＧＢ１２−１５は、ＰＭＩ＝１およびＰＭＩ＝３で形成されたビームで固定的に伝搬され、それにより、セルＡのビームとセルＢのビームの間の相互干渉を回避する。
【００５４】
干渉制御のための方法を本発明の１実施形態に従って提供する。調節を行うことによって、基地局のセルのビームが様々な時間周波数リソース、様々な時間領域リソース、または様々な周波数領域リソースで送信され、それによりアップリンクのオーバヘッドが増大せずに、当該基地局のセルのビームの間の相互干渉が減る。
【００５５】
場合によっては、第１の干渉情報が第１の干渉セルの干渉強度値を含んでもよい。したがって、第２の干渉情報が第２の干渉セルの干渉強度値を含んでもよい。当該干渉強度値が平均干渉強度値または最大干渉強度値等を含んでもよい。
【００５６】
この場合、当該第１の干渉情報と当該第２の干渉情報が、セルＡが属する当該第１の基地局によりやりとりされ、以下の表３の例に示されている。
【００５７】
【表３】
0005995028.tif 000004
【００５８】
当該第１の干渉情報と当該第２の干渉情報が、セルＢが属する第２の基地局によりやりとりされ、以下の表４の例に示されている。
【００５９】
【表４】
0005995028.tif 000005
【００６０】
本実施形態は、干渉セルの情報以外に干渉セルの干渉強度値もやりとりされるという点で方法３０の実施形態とは異なる。セルＢでは、ＰＭＩ＝０およびＰＭＩ＝２で形成されたビームはセルＣのビームからより大きな平均的な干渉を受け、ＰＭＩ＝１およびＰＭＩ＝３で形成されたビームはセルＡのビームからより大きな平均的な干渉を受けると判定される。次に、セルＡからの平均的な干渉強度値をセルＣからの平均的な干渉強度値と比較することによって、セルＡからの平均的な干渉強度がより大きいと判定される。したがって、干渉制御をセルＢおよびセルＣの干渉ビームではなくセルＢとセルＡの干渉ビームで実施し、それにより、干渉制御の精度を高める。
【００６１】
干渉制御のための方法を本発明の１実施形態に従って提供する。調節を行うことによって、基地局のセルのビームが様々な時間周波数リソース、様々な時間領域リソース、または様々な周波数領域リソースで送信され、それによりアップリンクのオーバヘッドが増大せずに当該基地局のセルのビームの間の相互干渉が減る。
【００６２】
場合によっては、上述の実施形態に従う方法の代替として、第１の干渉情報と第２の干渉情報に含まれる干渉強度値を干渉強度シリアル番号で置き換えてもよい。
【００６３】
この置換えは、干渉強度値の代わりに干渉強度シリアル番号がやりとりされる点で上述の実施形態とは異なる。表５は、干渉強度シリアル番号と干渉強度値の範囲の間の対応する関係の例を示す。具体的な実装については既存の技術におけるルールを参照できるので、本発明では定義しない。以下の表５に示すように、干渉強度が［−４３、４２）に入る場合には、やりとりされる干渉強度シリアル番号は９８である。当該方法により干渉制御の精度を向上させることができる。
【００６４】
【表５】
0005995028.tif 000006
【００６５】
本発明の１実施形態に従って、注目すべき方法で隣接セルのビームを調節するための干渉制御方法を提供する。当該方法は、アップリンクのオーバヘッドが増大せずに、セルと隣接セルの強い干渉ビームが様々な時間周波数リソース、様々な時間領域リソース、または様々な周波数領域リソースで送信され、それにより相互干渉が減る。
【００６６】
場合によっては、第１の干渉情報が第１の基地局のセルのビームの出現順序を含んでもよい。当該出現順序を各ビームに対応するＰＭＩの出現順序で表してもよい。図１に示すように、当該基地局の或るセルのビームが反時計回りにＰＭＩ＝１、ＰＭＩ＝３、ＰＭＩ＝０およびＰＭＩ＝２の順序で現れる。したがって、第２の干渉情報が第２の基地局のセルのビームの出現順序を含んでもよい。
【００６７】
本実施形態は、各セルの様々なビームの出現順序もやりとりされるという点で方法３０の実施形態とは異なる。当該出現順序を対応するＰＭＩ出現順序で表してもよい。単一のビームが受ける強い干渉ビームをさらに決定するのが有益である。例えば、表２では、セルＢのビームが、セルＡのＰＭＩ＝０およびＰＭＩ＝２で形成された２つのビーム・グループに対する干渉源とみなされる。セルＡのビームは、セルＢのＰＭＩ＝１およびＰＭＩ＝３で形成された２つのビーム・グループに対する干渉源とみなされる。セルＡのＰＭＩ＝０およびＰＭＩ＝２で形成されたビームとセルＢのＰＭＩ＝１およびＰＭＩ＝３で形成されたビームが互いに強く干渉すると最初に決定してもよい。
【００６８】
表２のセルＡとセルＢがそれぞれ図１のセル１１とセル１２を表すと仮定する。図１を参照すると、第１の基地局が制御するセルＡは第２の基地局が制御するセルＢと第１の干渉情報および第２の干渉情報をやりとりして、セルＢのビームに対応するＰＭＩの反時計回りの出現順序が１３０２であることを得る。セルＡでは、セルＡのビームに対応するＰＭＩの出現順序と組み合わせて、ＰＭＩ＝０に対応するセルＡのビームとＰＭＩ＝３に対応するセルＢのビームにより強い干渉が生じ、ＰＭＩ＝２に対応するセルＡのビームとＰＭＩ＝１に対応するセルＢのビームにより強い干渉が生ずると決定してもよい。最後に、干渉制御を、様々な時間周波数リソースを占有する相互干渉ビームによって実現することができる。
【００６９】
さらに、別の実装の方法では、様々な実施形態を組み合わせてもよい。第１の干渉情報は第１の干渉セルだけでなく、当該第１の干渉セルの干渉強度値と第１の基地局のセルのビームの出現順序も含む。第２の干渉情報が第２の干渉セルだけでなく、当該第２の干渉セルの干渉強度値および当該第２の基地局のセルのビームの出現順序も含む。あるいは、当該第１の干渉情報は当該第１の干渉セルだけでなく、当該第１の干渉セルの干渉強度シリアル番号および当該第１の基地局のセルのビームの出現順序も含む。当該第２の干渉情報は当該第２の干渉セルだけでなく、当該第２の干渉セルの干渉強度シリアル番号と当該第２の基地局のセルのビームの出現順序も含む。
【００７０】
干渉制御のための方法を本発明の１実施形態に従って提供する。調節を行うことによって、基地局のセルのビームが様々な時間周波数リソース、様々な時間領域リソース、または様々な周波数領域リソースで送信され、それによりアップリンクのオーバヘッドが増大せずに基地局のセルのビームの間の相互干渉が減る。
【００７１】
図４は、本発明の別の実施形態に従う干渉制御の方法４０を示す略流れ図である。方法４０は、可動性管理エンティティ（Ｍｏｂｉｌｉｔｙ  Ｍａｎａｇｅｍｅｎｔ  Ｅｎｔｉｔｙ、ＭＭＥ）のような無線通信システムにおけるコア・ネットワークのネットワーク要素を中央制御ノードとして使用してもよいという点で図３の実施形態とは異なる。方法４０はステップ４１乃至４３を含む。
【００７２】
ステップ４１では、コア・ネットワークのネットワーク要素が、Ｓ１プロトコル・インタフェースを介して第１の干渉情報と第２の干渉情報を取得する。当該第１の干渉情報は第１の基地局により生成される。当該第２の干渉情報は第２の基地局により生成される。
【００７３】
当該第１の干渉情報と当該第２の干渉情報を生成するための方法については図３の実施形態を参照することができ、ここでは簡単のため省略する。
【００７４】
当該コア・ネットワークのネットワーク要素が、Ｓ１プロトコル・インタフェースを介して、複数の基地局からの干渉情報を取得する。当該第１の干渉情報と当該第２の干渉情報はそれぞれ２つの異なる基地局から取得される。当該干渉情報の内容は、上述の複数の実施形態で説明したものと同じであってもよい。例えば、当該第１の干渉情報が、第１の干渉セル・セット、または、当該第１の干渉セル・セットと当該第１の干渉セルの干渉強度値、または、当該第１の干渉セル・セットと当該第１の干渉セルの干渉強度シリアル番号、または、当該第１のセル・セットと当該第１の基地局のセルのビームの出現順序、または、当該第１のセル・セット、当該第１の干渉セルの干渉強度値、および当該第１の基地局のセルのビームの出現順序、または、当該第１のセル・セット、当該第１の干渉セルの干渉強度シリアル番号、および当該第１の基地局のセルのビームの出現順序を含んでもよい。当該第１の干渉情報と同様に、当該第２の干渉情報は対応する内容を含む。
【００７５】
ステップ４２では、当該コア・ネットワークのネットワーク要素が、当該第１の基地局のセルと当該第２の基地局のセルの相互干渉ビームを該第１の干渉情報と当該第２の干渉情報に基づいて決定する。
【００７６】
ステップ４２での判定方法は、方法３０で当該第１の基地局が実施する方法と類似または同一であり、ここでは簡単のため省略する。
【００７７】
ステップ４３で、当該コア・ネットワークのネットワーク要素が、当該第１の基地局と当該第２の基地局の相互干渉ビームが送信されることで占有される時間領域リソースの送信を調節して干渉を減らす。
【００７８】
当該コア・ネットワークのネットワーク要素が、第１の基地局と第２の基地局の相互干渉ビームが送信されることで占有される時間領域リソースを決定した後、当該コア・ネットワークのネットワーク要素が、当該第１の基地局と当該第２の基地局の相互干渉ビームにより占有される調節された時間領域リソースを当該第１の基地局もしくは当該第２の基地局、または当該第１の基地局と当該第２の基地局の両方に送信する。調節された時間領域リソースを受信した後、当該第１の基地局、または当該第２の基地局、または当該第１の基地局と当該第２の基地局の両方が、調節された時間領域リソースでセルのビームを送信する。
【００７９】
干渉制御のための方法を本発明の１実施形態に従って提供することができる。調節を行うことによって、基地局のセルのビームが様々な時間領域リソースで送信され、それにより、アップリンクのオーバヘッドが増大せずに基地局のセルのビームの間の相互干渉が減る。
【００８０】
図５は、本発明の１実施形態に従う干渉制御のための装置５０を示す略ブロック図である。
【００８１】
実装においては、装置５０が、無線通信システムにおける基地局またはコア・ネットワークのネットワーク要素のような、ネットワーク側の装置であってもよい。装置５０は決定ユニット５１と干渉制御ユニット５２を備える。
【００８２】
決定ユニット５１は、第１の干渉情報と第２の干渉情報に基づいて、第１の基地局のセルと第２の基地局のセルの相互干渉ビームを決定する。当該第１の干渉情報は第１のセル・セットを含む。当該第１のセル・セットは当該第１の基地局のセルのビームに干渉するビームが属する第１の干渉セルを含む。当該第２の干渉情報は第２のセル・セットを含む。当該第２のセル・セットは当該第２の基地局のセルのビームに干渉するビームが属する第２の干渉セルを含む。
【００８３】
干渉制御ユニット５２は、決定ユニット５１により決定された、当該第１の基地局のセルおよび当該第２の基地局のセルの相互干渉ビームを送信することで占有される時間周波数リソース、時間領域リソースまたは周波数領域リソースを調節して、干渉を減らす。装置５０が方法２０を実装してもよく、その具体的な詳細はここでは省略する。
【００８４】
干渉制御のための装置が本発明の１実施形態に従って提供される。調節を行うことによって、基地局のセルのビームが様々な時間周波数リソース、様々な時間領域リソース、または様々な周波数領域リソースで送信され、それによりアップリンクのオーバヘッドが増大せずに基地局のセルのビームの間の相互干渉が減る。
【００８５】
図６Ａは、本発明の１実施形態に従う干渉制御のための別の装置６０を示す略ブロック図である。装置６０を基地局として実装してもよい。装置６０の決定ユニット６１と干渉制御ユニット６２は装置５０の決定ユニット５１と干渉制御ユニット５２と同一であるかまたは類似である。さらに、装置６０は生成ユニット６３と受信ユニット６４を備える。
【００８６】
決定ユニット６１は、第１の干渉情報と第２の干渉情報に基づいて、第１の基地局のセルと第２の基地局のセルの相互干渉ビームを決定する。当該第１の干渉情報は第１のセル・セットを含む。当該第１のセル・セットは、当該第１の基地局のセルのビームに干渉するビームが属する第１の干渉セルを含む。当該第２の干渉情報は第２のセル・セットを含む。当該第２のセル・セットは、当該第２の基地局のセルのビームに干渉するビームが属する第２の干渉セルを含む。
【００８７】
干渉制御ユニット６２は、決定ユニット６１が決定した、当該第１の基地局のセルおよび当該第２の基地局のセルの相互干渉ビームにより占有される時間周波数リソース、時間領域リソースまたは周波数領域リソースを調節し、干渉を減らす。
【００８８】
生成ユニット６３は、ＵＥが報告した情報に基づいて上記決定ユニットが使用する第１の干渉情報を生成する。
【００８９】
受信ユニット６４は、Ｘ２プロトコル・インタフェースまたはＳ１プロトコル・インタフェースを介して、当該第２の基地局が送信した第２の干渉情報を受信する。
【００９０】
装置６０が方法２０および／または方法３０を実装してもよく、その具体的な詳細はここでは省略する。
【００９１】
干渉制御のための装置を本発明の１実施形態に従って提供する。調節を行うことによって、基地局のセルのビームが様々な時間周波数リソース、様々な時間領域リソース、または様々な周波数領域リソースで送信され、それによりアップリンクのオーバヘッドが増大せずに当該基地局のセルのビームの間の相互干渉が減る。
【００９２】
代替的な実施形態では、図６Ｂに示すように、装置６０の生成ユニット６３がグループ化モジュール６３１、ソート・モジュール６３２および生成モジュール６３３を備えてもよい。
【００９３】
当該ＵＥが報告した情報がプリコーディング行列インジケータ（Ｐｒｅｃｏｄｉｎｇ  Ｍａｔｒｉｘ  Ｉｎｄｉｃａｔｏｒ、ＰＭＩ）と参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）を含む場合には、グループ化モジュール６３１は、同一のＰＭＩを報告したＵＥをグループに分類する。
【００９４】
ソート・モジュール６３２は、グループ化モジュール６３１がグループ化を実施した後に、報告されたＲＳＲＰに基づいて、或るグループ内のＵＥが報告したＲＳＲＰが属する隣接セルをソートする。
【００９５】
生成モジュール６３３が、ソート・モジュール６３２がソートした当該隣接セルに基づいて第１のセル・セットを決定して、上記第１の干渉情報を生成する。
【００９６】
場合によっては、ＵＥが報告した情報がチャネル品質情報（Ｃｈａｎｎｅｌ  Ｑｕａｌｉｔｙ  Ｉｎｆｏｒｍａｔｉｏｎ、ＣＱＩ）も含む場合には、グループ化モジュール６３１は、事前設定閾値を下回るＣＱＩと当該同一のＰＭＩを報告したＵＥをグループに分類する。
【００９７】
場合によっては、ソート・モジュール６３２は同一のグループ内のＵＥが報告した同一の隣接セルのＲＳＲＰを処理し、処理されたＲＳＲＰを当該隣接セルのＲＳＲＰとして使用することによって当該隣接セルの全てをＲＳＲＰの降順でソートする。当該隣接セルは、当該第１の基地局のセルのビームに対する干渉が強いものから弱いものへとソートされる。
【００９８】
場合によっては、ソート・モジュール６３２が、当該隣接セルが属する基地局とやりとりすることによって得た負荷情報を当該処理されたＲＳＲＰの重み因子として使用することによって、ＲＳＲＰの重み付き平均値を計算する。全ての隣接セルは、当該ＲＳＲＰの重み付き平均値に従ってソートされる。
【００９９】
場合によっては、生成モジュール６３３が生成した第１の干渉情報は第１の干渉セルの干渉強度値も含み、第２の干渉情報は第２の干渉セルの干渉強度値も含む。あるいは、当該第１の干渉情報は当該第１の干渉セルの干渉強度シリアル番号も含み、当該第２の干渉情報は当該第２の干渉セルの干渉強度シリアル番号も含む。あるいは、当該第１の干渉情報は当該第１の基地局のセルのビームの出現順序も含み、当該第２の干渉情報は当該第２の基地局のセルのビームの出現順序も含む。あるいは、当該第１の干渉情報は当該第１の干渉セルの干渉強度値および当該第１の基地局のセルのビームの出現順序も含み、当該第２の干渉情報は当該第２の干渉セルの干渉強度値および当該第２の基地局のセルのビームの出現順序も含む。あるいは、当該第１の干渉情報は当該第１の干渉セルの干渉強度シリアル番号および当該第１の基地局のセルのビームの出現順序も含み、当該第２の干渉情報は当該第２の干渉セルの干渉強度シリアル番号と当該第２の基地局のセルのビームの出現順序も含む。
【０１００】
場合によっては、当該第１の基地局のセルのビームは、ＰＭＩに基づくビーム形成を実施することにより形成され、当該第２の基地局のセルのビームは、ＰＭＩに基づくビーム形成を実施することにより形成される。
【０１０１】
図７は、本発明の１実施形態に従う干渉制御のための別の装置７０を示す略ブロック図である。
【０１０２】
装置６０をコア・ネットワークのネットワーク要素として実装してもよい。装置７０の決定ユニット７１と干渉制御ユニット７２は、装置５０の決定ユニット５１および干渉制御ユニット５２と同じであるかまたは類似である。さらに、装置７０はさらに、取得ユニット７３と送信ユニット７４を備える。
【０１０３】
決定ユニット７１は、第１の干渉情報と第２の干渉情報に基づいて、第１の基地局のセルと第２の基地局のセルの相互干渉ビームを決定する。当該第１の干渉情報は第１のセル・セットを含む。当該第１のセル・セットは、当該第１の基地局のセルのビームに干渉するビームが属する第１の干渉セルを含む。当該第２の干渉情報は第２のセル・セットを含む。当該第２のセル・セットは、当該第２の基地局のセルのビームに干渉するビームが属する第２の干渉セルを含む。
【０１０４】
取得ユニット７３は、Ｓ１プロトコル・インタフェースを介して、決定ユニット７１が使用する第１の干渉情報と第２の干渉情報を取得する。当該第１の干渉情報は第１の基地局により生成され、当該第２の干渉情報は第２の基地局により生成される。
【０１０５】
干渉制御ユニット７２は、当該第１の基地局のセルと当該第２の基地局のセルの相互干渉ビームが占有する時間領域リソースを調節する。当該相互干渉ビームは当該取得ユニットにより取得される。
【０１０６】
送信ユニット７４は、当該第１の基地局のセルと当該第２の基地局のセルの相互干渉ビームが占有する調節された時間領域リソースを、当該第１の基地局、当該第２の基地局または当該第１の基地局と当該第２の基地局の両方に送信する。
【０１０７】
装置７０が方法２０および／または方法４０を実装してもよく、その具体的な詳細はここでは省略する。
【０１０８】
干渉制御のための装置を、本発明の諸実施形態に従って提供する。調節を実施することによって、基地局のセルのビームが様々な時間領域リソースで送信され、それにより、アップリンクのオーバヘッドが増大せずに基地局のセルのビームの間の相互干渉が減る。
【０１０９】
当業者は、開示した実施形態と組み合わせて説明した様々な例示的なユニットやアルゴリズムのステップを、電子ハードウェアまたはコンピュータ・ソフトウェアと電子ハードウェアの組合せとして実装してもよいことを理解する。これらの機能をハードウェアで実行するかソフトウェアで実行するかは上記技術的解決策に関する具体的な適用と設計上の制約に依存する。専門家や技術者は様々な方法を使用して、具体的な適用ごとに上述の機能を実現することができるが、このような実現は本発明の範囲を超えるものではない。
【０１１０】
上述のシステム、装置、およびユニットの具体的な動作プロセスが、便宜および簡単さのため上述の方法の実施形態における対応するプロセスを参照してもよいことは当業者には明確に理解され、ここでは説明しない。
【０１１１】
本願で提供した幾つかの実施形態によれば、開示したシステム、装置、および方法を他の方法で実施してもよいことが分かる。例えば、上述の装置の実施形態は例示的なものにすぎない。例えば、ユニットへの分割は論理的な機能分割にすぎず、実際には、別の分割方法があってもよい。例えば、複数のユニットまたは部品を別のシステムに結合もしくは統合してもよく、または、一部の機能を無視するかまたは実装しなくともよい。別の点では、互いの間の表示もしくは説明した結合または直接結合または通信接続が、何らかのインタフェース、装置、またはユニットを介した間接接続または通信接続であってもよい。当該接続は、電気的、機械的、または他の形態であってもよい。
【０１１２】
独立な構成要素として説明したユニットが物理的に分離していてもしていなくてもよく、ユニットとして表示した構成要素が物理的なユニットであってもなくてもよい。即ち、当該構成要素を或る位置に配置してもよく、複数のネットワーク・ユニットに配置してもよい。当該実施形態の解決策の目的は、実際のニーズに従って当該ユニットの一部または全部を選択することによって実現してもよい。
【０１１３】
さらに、本発明の各実施形態における各機能ユニットを１つの処理ユニットに統合してもよく、または、各ユニットが物理的に独立して存在してもよく、または、複数のユニットと１つのユニットに統合してもよい。
【０１１４】
説明した機能をソフトウェア機能ユニットとして実装し独立な製品として販売または使用する場合には、当該機能をコンピュータ可読記録媒体に格納してもよい。かかる理解のもと、先行技術に貢献する本発明の技術的解決策の一部または当該技術的解決策の一部をコンピュータ・ソフトウェア製品として具体化してもよい。当該コンピュータ・ソフトウェア製品は記憶媒体に格納される。当該製品は、コンピュータ装置（例えば、パーソナル・コンピュータ、サーバ、またはネットワーク装置）が本発明の各実施形態に従う方法のステップの全部または一部を実施できるようにするための幾つかの命令を含む。さらに、上記の記録媒体には、ＵＳＢディスク、モバイル・ハード・ディスク、読取専用メモリ（ＲＯＭ）、ランダム・アクセス・メモリ（ＲＡＭ）、磁気ディスク、またはコンパクト・ディスクのような、プログラム・コードを格納できる様々な種類の媒体が含まれる。
【０１１５】
以上の説明は本発明の具体的な実施形態にすぎず、本発明の保護範囲はそれに定義されるものではない。本明細書で開示した技術的範囲において当業者が容易に想到できる変形または置換えは本発明の保護範囲に入る。したがって、本発明の保護範囲は添付の特許請求の範囲の保護範囲に基づく。
【符号の説明】
【０１１６】
５１  決定ユニット
５２  干渉調節ユニット
６１  決定ユニット
６２  干渉調節ユニット
６３  生成ユニット
６３１  グループ化モジュール
６３２  ソート・モジュール
６３３  生成モジュール
６４  受信ユニット
７１  決定ユニット
７２  干渉調節ユニット
７３  取得ユニット
７４  送信ユニット
【図１】
0005995028.tif 000007
【図２】
0005995028.tif 000008
【図３】
0005995028.tif 000009
【図４】
0005995028.tif 000010
【図５】
0005995028.tif 000011
【図６Ａ】
0005995028.tif 000012
【図６Ｂ】
0005995028.tif 000013
【図７】
0005995028.tif 000014